(57)【特許請求の範囲】
【請求項１】
浅い小型の蓋付きの地中埋設容器の底部に、二つの傾斜面から成る略山型の屋根を有する密閉構造の開閉器本体を設け、当該開閉器本体を、自体の二つの傾斜面が当該地中埋設容器の相対向する両側下部に設けた各ケーブル挿通孔を有する両側面に相対向する位置であって、かつ上記二つの傾斜面が地中埋設容器の開口部近くに位置するように設置し、上記二つの傾斜面上にブッシング及び開閉操作ハンドル軸を上記屋根の両傾斜面上部から斜め外方向に突出させて設け、
上記蓋を開けて地中埋設容器の開口部端縁から、上記各ケーブル挿通孔から伸びた各ケーブル端末を上記屋根の各傾斜面に沿って立ち上げて上記ブッシングに夫々取り付け、また上記開閉操作ハンドル軸を回して当該開閉装置の開閉を行うことを特徴とする、地中埋設用開閉装置。
【請求項２】
上記地中埋設容器内において、上記開閉装置本体の各ブッシングに上記各ケーブル端末を取り付けた後、当該開閉装置の上部を覆う略伏せ椀形状の気密防水カバーを被せ、上記ブッシング及びケーブル端末への水や土砂の浸入を防止することを特徴とする、上記請求項１に記載の地中埋設用開閉装置。
【発明の詳細な説明】
【０００１】
【発明の属する技術分野】
この発明は、地中埋設分岐桝等の地中埋設容器内に取付けた開閉装置に関するものである。
【０００２】
【従来の技術】
地中配電機器を地上に出さず、全て地中埋設とすることは国民的ニ−ズである。また、昨今、狭い歩道幅員での地中化及びバリアフリ−要請からも益々地中埋設のニ−ズが高まってきている。しかしながら、電力供給サイドでは地中配電機器を地中埋設とすると防水、防錆対策から、設備が高価となり、また、保守、メインテナンスも困難となることからやむを得ず地上設置又は柱上設置としているのが現状である。
【０００３】
【発明が解決しようとする課題】
現在では、これらの機器を地中埋設とする場合、地上又は柱上に設置している開閉器等の配電機器を、そのままマンホ−ル又はハンドホ−ル内に設置し、耐水レベル、防錆レベルを高めたものを使用していることから、高価となる。また、マンホ−ルに於いては排水ポンプの設置も必要となる。また、機器の周囲に、保守等の作業スペ−スが必要なので、その分、埋設収納容器乃至収納体を大きくしなければならず、さらにこれらを埋設する土木工事費が高額となる。また、埋設スペ−スが大きくなり、設置場所が限定される。さらにまた、これらの配電機器の保守、メインテナンスを行うときは、マンホ−ルにおいてはマンホ−ルの蓋を開けマンホ−ル内に梯子を使って下りていく煩雑さや、マンホ−ル内の有毒ガス排出作業が必要である。また、ハンドホ−ルの場合は、蓋が重いので、蓋の開閉が二人作業となり、労力を要するものである。
【０００４】
この発明は、これらの点に鑑みてなされたものであり、埋設スペ−スがコンパクトで、安価となり、保守やメインテナンスの容易な地中埋設用開閉装置を提供し、上記課題を解決するものである。
【０００５】
【課題を解決するための手段】
請求項１の発明は、浅い小型の蓋付きの地中埋設容器の底部に、二つの傾斜面から成る略山型の屋根を有する密閉構造の開閉器本体を設け、当該開閉器本体を、自体の二つの傾斜面が当該地中埋設容器の相対向する両側下部に設けた各ケーブル挿通孔を有する両側面に相対向する位置であって、かつ上記二つの傾斜面が地中埋設容器の開口部近くに位置するように設置し、上記二つの傾斜面上にブッシング及び開閉操作ハンドル軸を上記屋根の両傾斜面上部から斜め外方向に突出させて設け、上記蓋を開けて地中埋設容器の開口部端縁から、上記各ケーブル挿通孔から伸びた各ケーブル端末を上記屋根の各傾斜面に沿って立ち上げて上記ブッシングに夫々取り付け、また上記開閉操作ハンドル軸を回して当該開閉装置の開閉を行う地中埋設用開閉装置とした。
【０００６】
請求項２の発明は、上記地中埋設容器内において、上記開閉装置本体の各ブッシングに上記各ケーブル端末を取り付けた後、当該開閉装置の上部を覆う略伏せ椀形状の気密防水カバーを被せ、上記ブッシング及びケーブル端末への水や土砂の浸入を防止する上記請求項１に記載の地中埋設用開閉装置とした。
【０００７】
【発明の実施の形態】
以下この発明の実施の形態例を図に基づいて説明する。
まず、図１乃至図３はこの発明の第１の実施の形態例を示し、図１は地中埋設用分岐桝内に設けた４端子型の地中埋設用開閉器の断面側面図、図２は分岐桝の蓋を外した平面図、及び図３は当該開閉器の回路構成を示す単線結線図である。
地中に埋設した、上面に蓋１ａを有する分岐桝１内に、横から見て略山型の屋根を有する密閉構造の開閉器本体２を設置している。この開閉器本体２内には、固定電極３、可動電極４を一対として三相を２組設けられている（但し、図では説明上、一対の固定電極３、可動電極４のみを図示し、他は省略している）。このうち可動電極４は開閉器本体２内に設けられたリンク機構５に接続され、このリンク機構５が、開閉器本体２の斜面を成す上記屋根２ａの上部に設けた開閉操作ハンドル軸６と接続され、当該開閉器本体２の外側から、開閉操作ハンドル軸６を回すと、リンク機構５が作動し、可動電極４が動いて固定電極３に接触したり離れたりし、開閉器を入り切りする。これらの固定電極３と可動電極４は、それぞれ開閉器本体２の上記山型の屋根２ａの両斜面上部を貫通して設けた各ブッシング７、８に電気的に接続されている。そしてこれらの各ブッシング７、８は、それぞれ屋根２ａの上部外側へ突出している。なお、別回路の固定電極３を相互に電気的に接続する導体母線９が開閉器本体２内に設けられている。
【０００８】
また、上記分岐桝１の長手方向両側壁には、ケ−ブル引込孔１０、１１が設けられ、これらの各ケ−ブル引込孔１０、１１から引き込まれたケ−ブル１２、１３は、上記開閉器本体２の両側の屋根２ａに沿ってそれぞれ立ち上げられ、気密処理したケ−ブル端末１２ａ、１３ａを上記各ブッシング７、８に被冠し、電気的に接続されている。また、上記ケ−ブル１２、１３は、上記開閉器本体２の屋根２ａにケ−ブルクリ−ト１４、１５により着脱自在に固定されている。さらに、図１に示すように、これらのケ−ブル端末１２ａ、１３ａを上記開閉器本体２の屋根２ａに取り付けた状態で、当該開閉器本体２の上部を覆うように略伏せ椀形状の防水カバ−１６を被せている。
【０００９】
なお、この実施の形態例では、万一、当該開閉器本体１内で、短絡事故が発生した場合、開閉器本体１内の内圧上昇による変形をトリガ−して電源側電極及び負荷側電極を強制的に三相短絡接地させる、強制短絡接地装置１７を開閉器本体２内に設けている。
【００１０】
図４乃至図６は、この発明の第２の実施の形態例を示し、図４は地中埋設用分岐桝内に設けた、４端子型の地中埋設用ガス、又は真空開閉器の断面側面図、図５は分岐桝の蓋を外した平面図、図６は当該開閉器の回路構成を示す単線結線図である。
この実施の形態例の場合は、上記第１の実施の形態例の開閉装置と構造はほぼ同じである。相違点は、開閉器本体２の構造が異なるのみである。即ち、固定電極及び可動電極に替えて、各ブッシング７、８に夫れ夫れ開閉接点部２１、２２が電気的に接続されており、常時は開閉操作ハンドル軸６を回すと、開閉器本体２内の電源用変圧器２３の電源により上記開閉接点２１、２２が動作し、開閉器が入り切りするようになっている。また、開閉器本体２外部に当該開閉器の制御装置２４、２５が設けられ、上記略伏せ椀形状の防水カバ−１６はこれらの制御装置２４、２５を含めて、ケ−ブル端末１２ａ、１３ａを上記開閉器本体２の屋根２ａに取り付けた状態で当該開閉器本体２の上部を被っている。
【００１１】
上記実施の形態例では、この発明の開閉装置を地中埋設の分岐桝に収納しているが、これに限らず適宜の、浅い小型の蓋付の地中埋設容器内に収納しても良い。また、この発明は上述のように、気中開閉器、ガス開閉器、真空開閉器にも適用でき、さらに、図７に示すように、２端子、３端子、４端子等、単回路、多回路の開閉器にも適用できるものである。
【００１２】
【発明の効果】
請求項１項の発明の地中埋設用開閉装置においては、ケ−ブル端末を傾斜させて立ち上げ、ブッシング及び開閉操作ハンドル軸を開閉器本体の山型の屋根の上部に持ってきたことから以下の効果が生じる。
地中埋設容器の蓋を開けると、表層に開閉器本体の屋根が位置し、当該屋根に設けたブッシングにケ−ブル端末が接続され、また当該屋根に開閉操作ハンドル軸が設けられているため、ケ−ブルの端末処理作業が地上から容易に行える。また、当該開閉装置及びケ−ブルの保守、メインテナンスも地上から容易に行える。さらにまた、開閉装置の開閉操作を着脱式のハンドル（図示省略）を使用して地上から容易に行うことができる。また、予め地中埋設容器にケ−ブルを、巻きだめせずに、通して布設しておくことができ、開閉装置を設置する際に、当該地中埋設容器の中央部でケ−ブルを切断して左右に分けた間に開閉器本体を設置し、ケ−ブル端末処理をして開閉器本体の各ブッシングに接続するだけで済み、設置作業を簡素化できる。また、開閉器本体は、屋根が略山型であるが下層部は広いので、この下層部内部にＣＴ、ＰＤ等のセンサ−や自動機構も取付け可能である。また、分岐桝等の地中埋設容器の幅を狭くすることができるので、地中埋設容器の蓋の強度が軽減でき、蓋が軽量化できることから開閉装置及びケ−ブルの保守、メインテナンス作業が容易となる。
【００１３】
また、この発明の地中埋設用開閉装置は、公共体敷設の管路及び分岐桝にも、特別な機能を付加することなく使用できるようにしたことから以下の効果が生じる。電力供給者の負担が少なくなり、路上設置や柱上設置に比較して同等以下のコストで装置を設置できる。路上に何も突き出るものがないので景観を損なわず、消防作業を妨げることもなく、さらに、歩行者、車椅子に対してもバリアフリーにできる。また、今まで歩行空間確保から不可能であった２ｍ程度の狭い歩道に対しても高圧電線の地中化が可能となる。
【００１４】
また、請求項２項の発明の地中埋設用開閉装置においては、略伏せ椀形状の防水カバ−を被せることにより、開閉装置の操作部、状態表示部、ケ−ブル端末部、制御装置等が汚水、汚泥による汚損、劣化を防止することができる。また、この防水カバ−は、山型の屋根の上に被せてあり、ケ−ブルは山型の屋根に沿って取付けられているため、防水カバ−の内側両側下部があき、当該スペ−スに該開閉装置の制御装置、伝送子局、光クロ−ジャ−（分岐装置）等が設置できる。また、ＳＯＧ機能付き開閉器にも適用できる。
【図面の簡単な説明】
【図１】この発明の第１の実施の形態例の地中埋設用開閉装置の断面側面図である。
【図２】この発明の第１の実施の形態例の地中埋設用開閉装置の、地中埋設容器の蓋を取った平面図である。
【図３】この発明の第１の実施の形態例の地中埋設用開閉装置の回路構成を示す単線結線図である。
【図４】この発明の第２の実施の形態例の地中埋設用開閉装置の断面側面図である。
【図５】この発明の第２の実施の形態例の地中埋設用開閉装置の、地中埋設容器の蓋を取った平面図である。
【図６】この発明の第２の実施の形態例の地中埋設用開閉装置の回路構成を示す単線結線図である。
【図７】この発明が適用できる開閉器の回路構成例を示す説明図である。
【符号の説明】
１    分岐桝                      ２    開閉器本体
３    固定電極                    ４    可動電極
５    リンク機構                  ６    開閉操作ハンドル軸
７    ブッシング                  ８    ブッシング
９    導体母線                  １０    ケ−ブル引込孔
１１    ケ−ブル引込孔            １２    ケ−ブル
１３    ケ−ブル                  １２ａ  ケ−ブル端末部
１３ａ  ケ−ブル端末部            １６    防水カバ−
２１    開閉接点部                ２２    開閉接点部
２３    電源用変圧器              ２４    制御装置
２５    制御装置
【図１】
0003689372.tif 000002
【図２】
0003689372.tif 000003
【図３】
0003689372.tif 000004
【図４】
0003689372.tif 000005
【図５】
0003689372.tif 000006
【図６】
0003689372.tif 000007
【図７】
0003689372.tif 000008